(57)【要約】【課題】ユーザが携帯電話装置を紛失した際に、携帯電話装置がどこにあるかを知ることを可能にする。【解決手段】制御部は、着信があると検出すると（Ｓ１ステップ）、着信音を送出し（Ｓ２ステップ）、留守録状態であり（Ｓ５ステップ）、所定回数の着信音が送出されたと判定すると（Ｓ６ステップ）、メッセージの送出を開始し（Ｓ８ステップ）、メッセージの送出中に所定の暗証番号を受信したと判定すると（Ｓ９）、最大の音量で着信音をスピーカから出力させる（Ｓ１２ステップ）。【選択図】      図２
2004228635.tif 000002
【特許請求の範囲】
【請求項１】
着信音を出力する出力手段と、暗証番号を格納する格納手段と、送受信手段と、着信時に前記出力手段から出力する着信音の音量を設定する設定手段と、制御手段と、を有し、
前記制御手段は、前記送受信手段が着信に応答して受信した暗証番号と一致する暗証番号が前記格納手段に格納されているか否かを判定し、格納されていると判定すると、前記設定手段により設定されている着信音量の値に係らず、所定の音量で前記出力手段から着信音を出力するように制御することを特徴とする通信装置。
【請求項２】
着信音を出力する出力手段と、暗証番号を格納する格納手段と、送受信手段と、着信時に前記出力手段から着信音を出力しないよう設定する設定手段と、制御手段と、を有し、
前記制御手段は、前記送受信手段が着信に応答して受信した暗証番号と一致する暗証番号が前記格納手段に格納されているか否かを判定し、格納されていると判定すると、前記設定手段により着信音を出力しないように設定されているにも係らず、所定の音量で前記出力手段から着信音を出力するように制御することを特徴とする通信装置。
【請求項３】
着信音を出力する出力手段と、暗証番号を格納する第１の格納手段と、回線へ出力する応答メッセージを格納する第２の格納手段と、回線から受信する用件メッセージを格納する第３の格納手段と、送受信手段と、着信時に前記出力手段から出力する着信音の音量を設定する設定手段と、制御手段と、を有し、
前記制御手段は、前記送受信手段が着信を検出したと判定すると、前記送受信手段を制御することにより前記第２格納手段に格納されている応答メッセージを発呼側へ送信させ、前記応答メッセージの送信から前記用件メッセージの格納終了までに前記送受信手段が暗証番号を受信したと判定すると、受信した暗証番号と一致する暗証番号が前記第１の格納手段に格納されているか否か判定し、一致する暗証番号が前記第１の格納手段に格納されていると判定すると、前記設定手段により設定されている着信音量の値に係らず、所定の音量で前記出力手段から着信音を出力するように制御することを特徴とする通信装置。
【請求項４】
着信音を出力する出力手段と、暗証番号を格納する第１の格納手段と、回線へ出力する応答メッセージを格納する第２の格納手段と、回線から受信する用件メッセージを格納する第３の格納手段と、送受信手段と、着信時に前記出力手段から着信音を出力しないよう設定する設定手段と、制御手段と、を有し、
前記制御手段は、前記送受信手段が着信を検出したと判定すると、前記送受信手段を制御することにより前記第２格納手段に格納されている応答メッセージを発呼側へ送信させ、前記応答メッセージの送信から前記用件メッセージの格納終了までに前記送受信手段が暗証番号を受信したと判定すると、受信した暗証番号と一致する暗証番号が前記第１の格納手段に格納されているか否か判定し、一致する暗証番号が前記第１の格納手段に格納されていると判定すると、前記設定手段により着信音を出力しないように設定されているにも係らず、所定の音量で前記出力手段から着信音を出力するように制御することを特徴とする通信装置。
【請求項５】
請求項１〜４記載の通信装置であり、
前記通信装置は、更に、入力手段を有し、前記制御手段は、前記着信音の出力中に前記入力手段から所定の入力操作があると判定すると、前記出力手段からの着信音の出力を停止するように制御することを特徴とする通信装置。
【請求項６】
請求項１〜４記載の通信装置であり、前記制御手段は、前記着信音の出力中に前記入力手段から電源をオフする操作を検出しても、着信音の出力を維持することを特徴とする通信装置。
【請求項７】
請求項１〜４記載の通信装置であり、前記制御手段は、前記着信音の出力中に前記入力手段から着信音量を低下する操作を検出しても、着信音の出力を維持することを特徴とする通信装置。
【請求項８】
音声メッセージを出力するスピーカと、発呼側へ送信するメッセージである第１の音声メッセージを格納する第１の格納手段と、前記スピーカから出力するメッセージである第２の音声メッセージを格納する第２の格納手段と、暗証番号を格納する第３の格納手段と、送受信手段と、制御手段と、を有し、
前記制御手段は、前記送受信手段が着信を検出したと判定すると、前記送受信手段を制御することにより前記第１格納手段に格納されている音声メッセージを発呼側へ送信させ、前記音声メッセージの送信中又は送信後に前記送受信手段が暗証番号を受信したと判定すると、受信した暗証番号と一致する暗証番号が前記第３の格納手段に格納されているか否か判定し、一致する暗証番号が前記第３の格納手段に格納されていると判定すると、前記スピーカから前記第２の格納手段に格納されている第２の音声メッセージを出力するよう制御することを特徴とする通信装置。
【発明の詳細な説明】
【０００１】
【発明の属する技術分野】
本発明は、通信装置に関するものである。
【０００２】
【従来の技術】
近年、通話機能やメール機能以外の多くの機能を搭載した携帯電話装置が製品化されており、例えば、ＣＣＤ（Ｃｈａｒｇｅ  Ｃｏｕｐｌｅｄ  Ｄｅｖｉｃｅ）を搭載したカメラ付き携帯電話装置が製品化されている。
【０００３】
又、携帯電話装置を用いてＡＴＭから現金の引き出しや入金を行う技術が提案されており（文献１、第３ページ右欄第１７行〜第４１行及び図１参照）、近年の携帯電話装置では、実際にバンキング処理を行うことが可能なものも製品化されている。
【０００４】
しかし、このように便利な携帯電話装置も、紛失や盗難により他人に悪用される可能性があり、ユーザが携帯電話装置を紛失した場合には、通信事業者のサービスセンターへ電話をかけ、携帯電話装置の使用を停止してもらうしかない。
【０００５】
【特許文献１】
特開平２００１−２９７１９８号公報
【０００６】
【発明が解決しようとする課題】
ユーザが携帯電話装置を紛失した際に、ユーザが通信事業者のサービスセンターの電話番号を知っていれば（或いは、知ることが可能であれば）、サービスセンターに電話をかけ携帯電話装置を停止してもらうことが可能であるが、ユーザがサービスセンターの電話番号を知らない、又はサービスセンターの電話番号を手帳等に記載していない為に知ることができないことが考えられる。
【０００７】
この為、サービスセンターに電話をかけずに携帯電話装置を停止する或いは携帯電話装置の存在する位置をユーザが知ることが可能であることが好ましい。
【０００８】
又、ユーザの携帯電話装置へ発呼を行い、着信音を聞くことにより携帯電話装置の位置を確認することも考えられるが、人ごみの中等の騒がしい場所では、通常の着信音量による着信音を聞き分けるのは困難である。
【０００９】
【課題を解決するための手段】
請求項１記載の通信装置は、着信音を出力する出力手段と、暗証番号を格納する格納手段と、送受信手段と、着信時に前記出力手段から出力する着信音の音量を設定する設定手段と、制御手段と、を有し、前記制御手段は、前記送受信手段が着信に応答して受信した暗証番号と一致する暗証番号が前記格納手段に格納されているか否かを判定し、格納されていると判定すると、前記設定手段により設定されている着信音量の値に係らず、所定の音量で前記出力手段から着信音を出力するように制御することを特徴とする。
【００１０】
請求項２記載の通信装置は、着信音を出力する出力手段と、暗証番号を格納する格納手段と、送受信手段と、着信時に前記出力手段から着信音を出力しないよう設定する設定手段と、制御手段と、を有し、前記制御手段は、前記送受信手段が着信に応答して受信した暗証番号と一致する暗証番号が前記格納手段に格納されているか否かを判定し、格納されていると判定すると、前記設定手段により着信音を出力しないように設定されているにも係らず、所定の音量で前記出力手段から着信音を出力するように制御することを特徴とする。
【００１１】
請求項３記載の通信装置は、着信音を出力する出力手段と、暗証番号を格納する第１の格納手段と、回線へ出力する応答メッセージを格納する第２の格納手段と、回線から受信する用件メッセージを格納する第３の格納手段と、送受信手段と、着信時に前記出力手段から出力する着信音の音量を設定する設定手段と、制御手段と、を有し、前記制御手段は、前記送受信手段が着信を検出したと判定すると、前記送受信手段を制御することにより前記第２格納手段に格納されている応答メッセージを発呼側へ送信させ、前記応答メッセージの送信から前記用件メッセージの格納終了までに前記送受信手段が暗証番号を受信したと判定すると、受信した暗証番号と一致する暗証番号が前記第１の格納手段に格納されているか否か判定し、一致する暗証番号が前記第１の格納手段に格納されていると判定すると、前記設定手段により設定されている着信音量の値に係らず、所定の音量で前記出力手段から着信音を出力するように制御することを特徴とする。
【００１２】
請求項４記載の通信装置は、着信音を出力する出力手段と、暗証番号を格納する第１の格納手段と、回線へ出力する応答メッセージを格納する第２の格納手段と、回線から受信する用件メッセージを格納する第３の格納手段と、送受信手段と、着信時に前記出力手段から着信音を出力しないよう設定する設定手段と、制御手段と、を有し、前記制御手段は、前記送受信手段が着信を検出したと判定すると、前記送受信手段を制御することにより前記第２格納手段に格納されている応答メッセージを発呼側へ送信させ、前記応答メッセージの送信から前記用件メッセージの格納終了までに前記送受信手段が暗証番号を受信したと判定すると、受信した暗証番号と一致する暗証番号が前記第１の格納手段に格納されているか否か判定し、一致する暗証番号が前記第１の格納手段に格納されていると判定すると、前記設定手段により着信音を出力しないように設定されているにも係らず、所定の音量で前記出力手段から着信音を出力するように制御することを特徴とする。
【００１３】
請求項５記載の通信装置は、請求項１〜４記載の通信装置であり、前記通信装置は、更に、入力手段を有し、前記制御手段は、前記着信音の出力中に前記入力手段から所定の入力操作があると判定すると、前記出力手段からの着信音の出力を停止するように制御することを特徴とする。
【００１４】
請求項６記載の通信装置は、請求項１〜４記載の通信装置であり、前記制御手段は、前記着信音の出力中に前記入力手段から電源をオフする操作を検出しても、着信音の出力を維持することを特徴とする。
【００１５】
請求項７記載の通信装置は、請求項１〜４記載の通信装置であり、前記制御手段は、前記着信音の出力中に前記入力手段から着信音量を低下する操作を検出しても、着信音の出力を維持することを特徴とする。
【００１６】
請求項８記載の通信装置は、音声メッセージを出力するスピーカと、発呼側へ送信するメッセージである第１の音声メッセージを格納する第１の格納手段と、前記スピーカから出力するメッセージである第２の音声メッセージを格納する第２の格納手段と、暗証番号を格納する第３の格納手段と、送受信手段と、制御手段と、を有し、前記制御手段は、前記送受信手段が着信を検出したと判定すると、前記送受信手段を制御することにより前記第１格納手段に格納されている音声メッセージを発呼側へ送信させ、前記音声メッセージの送信中又は送信後に前記送受信手段が暗証番号を受信したと判定すると、受信した暗証番号と一致する暗証番号が前記第３の格納手段に格納されているか否か判定し、一致する暗証番号が前記第３の格納手段に格納されていると判定すると、前記スピーカから前記第２の格納手段に格納されている第２の音声メッセージを出力するよう制御することを特徴とする。
【００１７】
【発明の実施の形態】
以下、本発明を適用してなる実施例装置について説明する。
【００１８】
本発明を適用してなる実施例装置は、着信があると自動的に応答メッセージを発呼側へ送信し発呼側の用件メッセージを録音する、所謂留守録機能を有する携帯電話装置に発呼を行い所定の暗証番号を送信することにより、着呼側の携帯電話装置から大音量の着信音を出力させるものである。
【００１９】
このような構成とすることにより、携帯電話装置を紛失したり盗難にあった際に、自身の携帯電話装置がどこにあるかをユーザが知ることが可能である。
【００２０】
図１は、本発明を適用してなる実施例装置である携帯電話装置のブロック図である。
【００２１】
図１において、通信部１は、後述するベースバンド部３からの信号をアンテナ２を介して基地局へ発信したり、アンテナ２を介して基地局からの電波を受信したりする。
【００２２】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００２３】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２４】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００２５】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、時刻を計時する機能も備えている。
【００２６】
第２格納部１３は、例えばＳＲＡＭ（Ｓｔａｔｉｃ  Ｒａｎｄｕｍ  Ａｃｃｅｓｓ  Ｍｅｍｏｒｙ）からなり、暗証番号（例えば、４桁の数字からなる）と、留守録機能をオン設定しているか否かを示すフラグ、留守録機能オン時に着信があり相手側へ送信する応答メッセージ（例えば、只今電話に出られません、発信音の後にメッセージを入れてください）、該応答メッセージに対して発呼側から受信したメッセージである用件メッセージ、予め格納された前記暗証番号と一致する暗証番号を受信した場合に出力する着信音の着信音量のデータ（例えば、１〜１０の１０段階で表し、１０とする）、通常の着信時の着信音量のデータ（例えば、１〜１０の１０段階で表し、５とする）を格納する。
【００２７】
第３格納部１４は、例えばＳＲＡＭ（Ｓｔａｔｉｃ  Ｒａｎｄｕｍ  Ａｃｃｅｓｓ  Ｍｅｍｏｒｙ）からなり、相手側の氏名と、該氏名に対応する電話番号とメールアドレスと相手側の血液型や誕生日等の個人情報を複数格納可能である。
【００２８】
表示部１５は、電話番号や相手先の氏名等を表示する。
【００２９】
入力部１６は、通話キー、切キー、テンキー、電源キー、機能キー、メール開始キー等の各種キーからなる。
【００３０】
次に本実施例装置の動作について説明する。
【００３１】
図２は、本実施例装置の動作を示すフロー図である。
【００３２】
図２のＳ１ステップにおいて、制御回路１１は、ベースバンド部３から着信があることを示す信号を検出するとＳ２ステップへ処理を進める。
【００３３】
Ｓ２ステップでは、制御回路１１は、第２格納部１３から通常の着信時の着信音量データ（例えば、１０段階で５の着信音量）を読み込み、前記着信音量データに基づいた着信音量でスピーカ８から着信音を出力させ、Ｓ３ステップへ処理を進める。
【００３４】
Ｓ３ステップでは、制御回路１１は、ユーザが着信に応答したか否かを判定する。具体的には、制御回路１１は、入力部１７から通話キーが押下されたことを示す信号を検出するとＳ４ステップへ処理を進め、そうでなければＳ５ステップへ処理を戻す。
【００３５】
Ｓ４ステップでは、制御回路１１は、通話処理を行う。具体的には、制御回路１１は、通信部１とベースバンド部３と切換回路１０を制御することにより、受信した相手側からの音声信号をスピーカ４から出力すると共にマイク６で検出された音声信号をアンテナ２から出力する。通話処理が終了すると、制御回路１１は、前記ベースバンド部３を制御することにより回線を切断し、Ｓ１ステップへ処理を戻す。
【００３６】
Ｓ５ステップでは、制御回路１１は、携帯電話装置が留守録モードであるか否かを判定する。具体的には、制御回路１１は、第２格納部１３に留守録モードがオンであることを示す情報が格納されていると判定するとＳ６ステップへ処理を進め、そうでなければＳ１ステップへ処理を進める。
【００３７】
Ｓ６ステップでは、制御回路１１は、所定回数の着信音を出力したと判定すると、Ｓ１ステップへ処理を戻し、そうでなければ、Ｓ７ステップへ処理を進める。
【００３８】
Ｓ７ステップでは、制御回路１１は、通信部１とベースバンド部３を制御することにより回線を捕捉し、Ｓ８ステップへ処理を進める。
【００３９】
Ｓ８ステップでは、制御回路１１は、第２格納部１３に格納されている音声メッセージ（例えば、只今電話に出られません、発信音の後にメッセージを入れてください。）を読み出し、ベースバンド部３と通信部１を制御することにより、前記音声メッセージを相手側へ送信させ、続いてベースバンド部３が受信した信号の中から発呼側からのメッセージを取り出し、第２格納部１３に格納開始する。
【００４０】
続くＳ９ステップでは、制御回路１１は、ベースバンド部３が受信した信号の中から例えば、ＤＴＭＦ（Ｄｕａｌ  Ｔｏｎｅ  Ｍｕｌｔｉ  Ｆｒｅｑｕｅｎｃｉｅｓ）からなる４桁の暗証番号（例えば、１２３４）を検出したと判定すると、一致する暗証番号が第２格納部１３に格納されているか否か検索し、一致する番号が格納されていると判定するとＳ１２ステップへ処理を進め、そうでなければＳ１０ステップへ処理を進める。
【００４１】
尚、上記Ｓ９ステップにて検出された暗証番号も、第２格納部１３に用件メッセージと共に格納されることとなる。
【００４２】
Ｓ１０ステップでは、制御回路１１は、発呼側からのメッセージの格納が終了したと判定するとＳ１１ステップへ処理を進め、そうでなければ、Ｓ９ステップへ処理を戻す。
【００４３】
Ｓ１１ステップでは、制御回路１１は、通信部１とベースバンド部３を制御することにより回線を切断し、Ｓ１ステップへ処理を戻す。
【００４４】
Ｓ１２ステップでは、制御回路１１は、通信部１とベースバンド部３を制御することにより回線を切断すると共に、設定されている音量に係らず（音量がオフに設定されていても）最大の音量（例えば、１０段階で１０の着信音量）で或いは、所定の音量（例えば、１０段階で８段階の音量）で着信音を出力するようにスピーカ８を制御し、Ｓ１３ステップへ処理を進める。
【００４５】
このようにＳ９、Ｓ１２ステップでは、一致する暗証番号を受信すると着信音を最大で出力すると共に回線を切断する為、通話料金を極力少なくすることが可能である。
【００４６】
Ｓ１３ステップでは、制御回路１１は、入力部１７から所定の操作（例えば、機能キーとテンキーの１の同時押下）があると判定すると、Ｓ１７ステップへ処理を進め、そうでなければＳ１４ステップへ処理を進める。
【００４７】
Ｓ１４ステップでは、制御回路１１は、入力部１７から通話切断を示す操作があると判定するとＳ１２ステップへ処理を戻し、そうでなければＳ１５ステップへ処理を進める。
【００４８】
Ｓ１５ステップでは、制御回路１１は、入力部１７から音量低下を示す操作があると判定するとＳ１２ステップへ処理を戻し、そうでなければＳ１６ステップへ処理を進める。
【００４９】
Ｓ１６ステップでは、制御回路１１は、入力部１７から電源切断を示す操作があると判定するとＳ１２ステップへ処理を戻し、そうでない場合でもＳ１２ステップへ処理を進める。
【００５０】
前記Ｓ１３〜Ｓ１６ステップでは、着信音を最大音量で出力している際に、通話切断操作、音量低下操作、電源切断操作等があっても、これらの操作を無効にすると共に最大音量での着信音出力を維持することを示している。このような構成にすることにより、携帯電話装置を持っている人物が最大音量での着信音出力の停止操作を行うことを防止することが可能である。
【００５１】
Ｓ１７ステップでは、制御回路１１は、スピーカ８からの着信音の出力を停止させ、Ｓ１ステップへ処理を戻す。
【００５２】
尚、本実施例では、Ｓ１３、Ｓ１７ステップにおいて、所定の操作があると着信音の送出を停止するように構成したが、所定の操作は予めユーザが登録可能としても良い。このような構成にすることにより、ユーザだけが知る操作方法でのみ着信音の出力を解除することが可能である。
【００５３】
更に、再度携帯電話装置機が着信を検出すると共に所定の暗証番号を検出すると着信音の送出を停止する構成にしても良い。このような構成にすることにより、携帯電話装置を持っているものが容易に着信音の出力停止をできなくすることが可能である。
【００５４】
又、最大の音量で着信音を出力する着信音の種類をユーザが予め指定する構成としても良く、更に、予め複数の暗証番号を格納させると共に各々の暗証番号に着信音を対応付けて格納し、暗証番号を受信すると、受信した暗証番号に対応する着信音を最大の音量で出力する構成としても良い。このような構成とすることにより、携帯電話装置の盗難にあった際に、誰が自分の携帯電話装置を持っているかをより分かりやすくすることが可能である。
【００５５】
更に、本実施例では、第２格納部１３に格納されている暗証番号と一致する暗証番号を受信すると着信音を出力する構成としたが、例えば、「電話はここです」や「どろぼー」等の音声メッセージを出力する構成としても良い。スピーカ８から出力する着信音を音声メッセージとすることにより、より携帯電話装置がどこにあるかを分かりやすくすることが可能である。
【００５６】
以上説明したように、本実施例装置では、着信があり所定の暗証番号を検出すると通常の着信音量が設定されているにも係らず大音量の着信音を出力するようにした。この為、ユーザが携帯電話装置の盗難にあったと気づいた後に、近くの公衆電話或いは友人の携帯電話装置から発呼を行うと共に暗証番号を入力することにより、ユーザの携帯電話装置から大音量の着信音を出力させることが可能であり、この結果、ユーザは、ユーザの携帯電話装置を誰が持っているかを分かることが可能である。
【００５７】
又、着信音の出力を解除するには、所定のキー操作を行わなければならない為、携帯電話装置を持った他人は直ちに着信音の出力を停止させることができない。
【００５８】
更に、本実施例装置では、ユーザが例えば、暗くうるさいところで携帯電話装置を紛失した場合にも、ユーザが自分の携帯電話装置がどこにあるかを知ることが可能である。
【００５９】
尚、本実施例では、留守録音状態の際に暗証番号を受信すると、通常の着信音量が設定されているにも係らず、予め定めた音量で着信音を出力する構成としたが、携帯電話装置が受信したメール本文中に一致する暗証番号があると判定すると予め定めた音量で着信音を出力する構成としたり、携帯電話装置がドライブモード（運転中に着信があると、自動的に例えば、「只今運転中です、あとでかけなおしてください」というメッセージを発呼側に送信するモード）である時に暗証番号を受信すると、予め定めた音量で着信音を出力する構成としても良い。即ち、携帯電話装置が暗証番号を受信すると予め定めた音量で着信音を出力する構成であれば、本実施例と異なる構成としても良い。
【００６０】
【発明の効果】
本発明の通信装置は、通常の着信音量で設定している状態でも、自分の携帯電話装置がどこにいったかをユーザが分かるようにすることを可能にする。
【図面の簡単な説明】
【図１】本発明を適用してなる実施例装置のブロック図である。
【図２】本実施例装置の動作を示すフロー図である。
【符号の説明】
１  通信部
３  ベースバンド部
１３  第２格納部
１６  入力部
【図１】
2004228635.tif 000003
【図２】
2004228635.tif 000004